(57)【要約】【課題】コンパクトなスペースにおいて、タンジェンシャル・チルト誤差を生じさせることなく、ディスク面に対する光軸角及びディスク面までの距離の精度を高く維持することが可能な光ディスクドライブ装置を提案すること。【解決手段】２本のガイドシャフトの傾度を二つのねじ込み不要な調整ピンによって調整する光ディスクドライブ装置であって、当該調整ピンは頭頂部に調整ピンと軸を共有する螺旋状盤を有し、その螺旋状盤面がガイドシャフトの支持点となっている光ディスクドライブ装置を提案する。【選択図】図１
2009157961.tif 000002
【特許請求の範囲】
【請求項１】
光ピックアップ用の２本のガイドシャフトの傾度をそれぞれ調整する二つの調整ピンを備える光ディスクドライブ装置であって、
各調整ピンは頭頂部に調整ピンと軸を共有する螺旋状盤を有し、その螺旋状盤面がガイドシャフトの支持点となっている光ディスクドライブ装置。
【請求項２】
前記支持点が螺旋状盤の下面側に存在する請求項１に記載の光ディスクドライブ装置。
【請求項３】
前記支持点が螺旋状盤の上面側に存在する請求項１に記載の光ディスクドライブ装置。
【請求項４】
ガイドシャフトを支持する調整ピンを同期回転させるためのギア部を備える、
請求項１から３のいずれか一に記載の光ディスクドライブ装置。
【発明の詳細な説明】
【技術分野】
【０００１】
本発明は、光ディスクドライブ装置に関し、特に、光ピックアップ用のガイドシャフトの傾度を調整する調整ピンを備える光ディスクドライブ装置に関する。
【背景技術】
【０００２】
光ディスクドライブ装置において情報の記録又は再生を行うためには光ピックアップからのレーザ光の光軸が光ディスク面若しくは光磁気ディスク面に対して直行すると共に、ディスク面で焦点を結ばなければならない。このため、ディスク面に対するレーザ光の光軸角と光ピックアップの対物レンズからディスク面までの距離を高精度に管理する必要がある。
しかし、ディスク面に対する光軸角やディスク面までの距離精度は、光ディスクドライブ装置を構成する各部材や光ディスクの部品精度や各部品をベースシャーシに搭載した際の組立精度等によって大きな影響を受ける。例えば、シャーシの歪みによる誤差、光ピックアップ自身の光軸角の誤差、スピンドルモータ構体の取り付け面に対するモータシャフトの傾き誤差、ターンテーブル面の傾き誤差、さらに光ディスクの歪みによる誤差などによって精度が落ちる。
【０００３】
これらの誤差を無くし、ディスク面に対する光軸角及びディスク面までの距離を精度良く管理するためには、部品製造工程において各部品の精度を追い込むだけでなく、組立誤差や部品精度により生じた誤差を事後的に補正できるような調整手段を用意する必要がある。当該調整手段としては、シャーシを２枚設けて、個々の光ディスクの歪みに応じて光ピックアップを傾けて光軸角を調整する機構が考えられている。
また、特許文献１では、２本あるガイドシャフトのうち１本のガイドシャフトを昇降させてディスク面に対する光軸角及びディスク面までの距離を調整する機構が開示されている。
【特許文献１】特開平０２−０９４１１５
【発明の開示】
【発明が解決しようとする課題】
【０００４】
しかし、光ピックアップを傾ける機構においては２枚のシャーシが用いられるため、スペース及びコストの面で不利である。また、特許文献１に開示されている機構では、ガイドシャフトの片側のみを昇降させるため、タンジェンシャル・チルト誤差が増大し、読取り品質が低下する問題がある。
【課題を解決するための手段】
【０００５】
以上の課題を解決するため、本発明は、２本のガイドシャフトの傾度を二つの調整ピンによって調整する光ディスクドライブ装置を提案する。本発明の調整ピンは頭頂部に調整ピンと軸を共有する螺旋状盤を有し、その螺旋状盤面がガイドシャフトの支持点となっている。ここで、ガイドシャフトの傾度は専ら螺旋状盤の形状によって変化するものであり、調整ピンは調整に際してさらにねじ込まれる必要はない。
【発明の効果】
【０００６】
本発明は、２本のガイドシャフトの傾度をねじ込み不要な二つの調整ピンで調整することができるため、コンパクトなスペースにおいて、タンジェンシャル・チルト誤差を生じさせることなく、ディスク面に対する光軸角及びディスク面までの距離の精度を高く維持することが可能になる。
【発明を実施するための最良の形態】
【０００７】
以下に、本発明の実施例を説明する。実施例と請求項の相互の関係は以下のとおりである。実施例１は主に請求項１、２、３などに関し、実施例２は主に請求項４などに関する。なお、本発明はこれら実施例に何ら限定されるものではなく、その要旨を逸脱しない範囲において、種々なる態様で実施しうる。
【実施例１】
【０００８】
＜概要＞
本実施例の光ディスクドライブ装置は、２本のガイドシャフトの傾度を調整する二つの調整ピンを備え、当該調整ピンは図１に示すように頭頂部に調整ピンと軸を共有する螺旋状盤を有し、その螺旋状盤面にガイドシャフトの支持点が存在する。これにより、２本のガイドシャフトの傾度をねじ込み不要な二つの調整ピンで調整することができるため、コンパクトなスペースにおいて、タンジェンシャル・チルト誤差を生じさせることなく、ディスク面に対する光軸角及びディスク面までの距離の精度を高く維持することが可能になる。
【０００９】
<実施例１：構成>  
実施例１の光ディスクドライブ装置の構成について説明する。図２は、本実施例の光ディスクドライブ装置を上から見たときの概念図である。本実施例の光ディスクドライブ装置（本明細書においては、以下光ディスクドライブ装置の筺体部を省略して説明する。）は、「シャーシ」０２０１上に「対物レンズ」０２０２を備えた「光ピックアップ」０２０３及び当該光ピックアップを案内駆動するための２本の「光ピックアップ用のガイドシャフト」（０２０４ａ、０２０４ｂ）、二つの「調整ピン」（０２０５ａ、０２０５ｂ）を有している。また、二つの調整ピンは、光ピックアップ用の２本のガイドシャフトの傾度をそれぞれ調整することができる。また、各調整ピンは頭頂部に調整ピンと軸を共有する「螺旋状盤」（０２０６ａ、０２０６ｂ）を有し、その螺旋状盤面がガイドシャフトの支持点となっている。この調整ピンは、シャーシに軸回転可能なように固定され、以下に説明するように、調整ピンの軸回転に伴い螺旋状盤面の支持点が高低方向に変化する。ガイドシャフトの一端は「ガイドシャフト保持部材」（０２０７ａ、０２０７ｂ）によって固定されているため、上記支持点が高低方向に変化することで、ガイドシャフトの傾度が変化することになる。さらに、シャーシ上にはスピンドルモータに接続された「ターンテーブル」０２０８が備えられ、「光ディスク」０２０９（外縁部の一部の位置を示す）を搭載して回転させるようになっている。ここで、ガイドシャフトの傾度が変化することにより、光ピックアップの傾度も変化し、ディスク面に対する光軸角及びディスク面までの距離も変化することになる。
【００１０】
（調整ピン）
図３は、図１の断面図であり、本実施例の光ディスクドライブ装置の調整ピンによる調整機構の一例を示す図である。当該調整ピン０３０１は、その頭頂部に螺旋状盤０３０２を有している。ガイドシャフト０３０３は当該螺旋状盤面に存在する支持点において支持されているため、調整ピンが回転することでその支持点も上下方向に変化することになり、ガイドシャフトの一端の高さが変化することになる。ここで、ガイドシャフトの傾度の変化は専ら螺旋状盤が回転することによってなされるため、調整ピンは必ずしもシャーシにねじ込まれる必要はない。つまり、調整ピンがシャーシに対して軸回転が可能な構成であれば足りる。
ただし、調整ピンの形状をねじのような形状（胴体部に螺旋状の溝を持つ形状）とすることで、シャーシに対してねじ回し、上下方向に変化させる構成とすることも可能である。この場合、ガイドシャフトの傾度は螺旋状盤が回転することによる影響のみならず、調整ピンがシャーシに対してねじ込まれることによる影響も受けるため、ガイドシャフトの傾度の調整幅を大きくすることができる。
図１、図３においてはガイドシャフトとの支持点が螺旋状盤の上面側に存在する構成を示しているが、支持点が螺旋状盤の下面側に存在する構成とすることも同様に可能である。支持点が螺旋状盤の下面側に存在する構成としては、例えば図４で示すような形状を有する調整ピンをシャーシに載置することが考えられる。図５は図４の断面図を示す図である。この図が示すように、調整ピン０５０１の頭頂部に螺旋状盤０５０２を配置し、当該調整ピンが回転することでガイドシャフト０５０３との支持点が上下方向に変化することになり、ガイドシャフトの一端の高さが変化することになる。
なお、本実施例においては、片方の面を螺旋状面にして他方の面を平面とする調整ピンを示しているが、両方の面を螺旋状面とした調整ピンも同様に可能である。つまり、傾斜平面を持つ調整ピンであれば様々な態様で可能である。
【００１１】
また、二つの調整ピンは手動で回転させる構成とすることも可能であるが、駆動モータ等により自動的に回転させる構成とすることも可能である。例えば、手動で調整ピンを調整する場合としては、光ディスクドライブ装置のシャーシなどの歪みによる誤差を、工場出荷時に補正する場合などが考えられる。また、駆動モータ等で自動的に調整される場合としては、光ディスクドライブ装置に配置させる個々の光ディスクの歪みを再生時において光センサー等で検知し、当該歪みによる誤差を自動的に補正する場合が考えられる。
【００１２】
なお、調整ピンが回転することで、ガイドシャフトがその断面に対して上下方向に移動するのみならず、その断面に対して左右方向に移動してしまう可能性もある。この場合、ガイドシャフトが左右方向に変化しないように、左右方向の移動を制限する部材を加える構成とすることが可能である。例えば、図６に示すように（図２のＸ−Ｘ断面）、ガイドシャフトが上下方向にのみ移動可能とするための挟み込み部材を、シャーシに載置することも可能である。また、この図で示すように、挟み込み部材の一部にバネ等の弾性体を配置することで可動な支点部とすることも可能である。
【００１３】
図７は、光ディスクが歪んでいる場合において、支持点が螺旋状盤の下面側に存在する調整ピンによって、ディスク面に対する光軸角及びディスク面までの距離が調整される機構を説明する図である。図７（ａ）は、光ディスクがおわん状に変形している場合を表し、図７（ｂ）は、光ディスクが傘状に変形している場合を表している。それぞれの図において点線は、調整ピンによって調整される前のガイドシャフトの位置を表している。図７（ａ）において、おわん型の光ディスク０７０１に対応させるため、調整ピン０７０２の螺旋状盤０７０３によって支持されているガイドシャフト０７０４の傾度が調整されている。具体的に説明すると、ガイドシャフト保持部材０７０５によって高さが固定されたガイドシャフトの端部よりも、調整ピンによって高さが決められる端部がシャーシ０７０６に対して高い位置になり、ガイドシャフトがディスク面に対して平行に近づく。これにより、ガイドシャフトによって支えられている光ピックアップ０７０７の対物レンズ０７０８からのレーザ光とディスク面のなす角は９０度に近づき、対物レンズからディスク面までの距離精度も良くなる。図７（ｂ）においては、傘型の光ディスク０７０１に対応させるため、ガイドシャフト保持部材０７０５によって高さが固定されたガイドシャフト０７０４の端部よりも、調整ピン０７０２によって高さが決められる端部が、シャーシ０７０６に対して低い位置になるように調整することで、ガイドシャフトがディスク面に対して平行に近づいている。
【００１４】
また、図８は、シャーシが歪んでいる場合において、支持点が螺旋状盤の上面側に存在する調整ピンによって、ディスク面に対する光軸角及びディスク面までの距離が調整される機構を説明する図である。図８（ａ）は、シャーシがおわん状に変形している場合を表し、図８（ｂ）は、シャーシが傘状に変形している場合を表している。それぞれの図において点線は、調整ピンによって調整される前（シャーシの歪みの影響をそのまま受けた状態）のガイドシャフトの位置を表している。図８（ａ）において、おわん型のシャーシ０８０６に対応させるため、調整ピン０８０２の螺旋状盤０８０３によって支持されているガイドシャフト０８０４の傾度が調整されている。具体的に説明すると、シャーシがおわん状に歪んでいるため、調整が行われる前は、点線で示すようにガイドシャフトは平面な光ディスク０８０１に対して右上がりの状態になる。これを補正するため、支持点が低くなるように調整ピンを調整して、ガイドシャフトがディスク面に対して平行に近づくようにする。これにより、ガイドシャフトによって支えられている光ピックアップ０８０７の対物レンズ０８０８からのレーザ光とディスク面のなす角は９０度に近づき、対物レンズからディスク面までの距離精度も良くなる。図８（ｂ）においては、シャーシ０８０６が傘状に歪んでいるため、調整が行われる前は、点線が示すようにガイドシャフトは平面な光ディスク０８０１に対して右下がりの状態になる。これを補正するため、支持点が高くなるように調整ピン０８０２を調整して、ガイドシャフト０８０４がディスク面に対して平行に近づくことになる。
【００１５】
＜効果＞
本実施例の発明により、２本のガイドシャフトの傾度をねじ込み不要な二つの調整ピンで調整することができるため、コンパクトなスペースにおいて、タンジェンシャル・チルト誤差を生じさせることなく、ディスク面に対する光軸角及びディスク面までの距離の精度を高く維持することが可能になる。
【実施例２】
【００１６】
＜概要＞
本実施例の光ディスクドライブ装置は、実施例１の装置と基本的に共通するが、ガイドシャフトを支持する調整ピンを同期回転させるためのギア部を備える点に特徴を有する。
【００１７】
＜構成＞
（ギア部）
図９は、本実施例の光ディスクドライブ装置のギア部の機構の一例を示す図である。図に示すようにギア部を二つの調整ピン（螺旋状盤）の間に設けることで、各調整ピンを同期的に回転させることが可能になる。ここで、調整ピンをギア部によって同期回転させる手段としては、調整ピンの頭頂部や胴体部の側面をギア形状とすることが考えられる。また、新たなギア部材を調整ピンに対して付加する構成も可能である。ここで、各調整ピンに対する駆動減速比をそれぞれ同じにすることで、同時に同位相だけ調整ピンを回転させることが可能になる。また、図９においては、ギア部が３つのギアから構成される例を示しているが、１つのギアで構成されるギア部も同様に可能であり、３つよりも多い複数のギアによって構成されるギア部も可能である。
【００１８】
また、本実施例の光ディスクドライブ装置においても、実施例１の場合と同様に、調整ピンによる調整を手動で回転させる構成と、駆動モータ等により自動的に回転させる構成が考えられる。ここで、本実施例の光ディスクドライブ装置は、同期的に調整ピンを回転させるギア部を有していることから、当該ギア部を手動又は自動的に駆動することで、２本のガイドシャフトの傾度を同時に同程度調整することができる。例えば、手動で調整する場合、当該ギア部を手動で駆動することにより、少ない操作で、タンジェンシャル・チルト誤差を生じさせることなく調整を行うことが可能になる。また、自動的に調整を行う場合も、当該ギア部を駆動モータ等で駆動することができるため、少ない駆動源で、タンジェンシャル・チルト誤差を生じさせることなく調整を行うことが可能になる。
【００１９】
＜効果＞
本実施例の発明により、２本のガイドシャフトの傾度をねじ込み不要な二つの調整ピンで、同時に同程度調整することができるため、コンパクトなスペースにおいて、タンジェンシャル・チルト誤差を生じさせることなく、ディスク面に対する光軸角及びディスク面までの距離の精度を高く維持することが可能になる。
【図面の簡単な説明】
【００２０】
【図１】実施例１の光ディスクドライブ装置の調整ピンによる調整機構の一例を示す立体図（螺旋状盤の上面側がガイドシャフトとの支持点になっている場合）
【図２】実施例１の光ディスクドライブ装置を上側から見た概念図
【図３】実施例１の光ディスクドライブ装置の調整ピンによる調整機構の一例を示す断面図（螺旋状盤の上面側がガイドシャフトとの支持点になっている場合）
【図４】実施例１の光ディスクドライブ装置の調整ピンによる調整機構の一例を示す立体図（螺旋状盤の下面側がガイドシャフトとの支持点になっている場合）
【図５】実施例１の光ディスクドライブ装置の調整ピンによる調整機構の一例を示す断面図（螺旋状盤の下面側がガイドシャフトとの支持点になっている場合）
【図６】実施例１の光ディスクドライブ装置の挟み込み部材の一例を示す図
【図７】実施例１の光ディスクドライブ装置において、光ディスクがおわん状、又は傘状に歪んでいる場合に、調整ピンによって光軸角等が調整される機構を説明する図
【図８】実施例１の光ディスクドライブ装置において、シャーシがおわん状、又は傘状に歪んでいる場合に、調整ピンによって光軸角等が調整される機構を説明する図
【図９】実施例２の光ディスクドライブ装置のギア部の機構の一例を示す図
【符号の説明】
【００２１】
０２０１      シャーシ
０２０２      対物レンズ
０２０３      光ピックアップ
０２０４      光ピックアップ用のガイドシャフト
０２０５      調整ピン
０２０６      螺旋状盤
０２０７      ガイドシャフト保持部材
０２０８      ターンテーブル
０２０９      光ディスク
【図１】
2009157961.tif 000003
【図２】
2009157961.tif 000004
【図３】
2009157961.tif 000005
【図４】
2009157961.tif 000006
【図５】
2009157961.tif 000007
【図６】
2009157961.tif 000008
【図７】
2009157961.tif 000009
【図８】
2009157961.tif 000010
【図９】
2009157961.tif 000011